(57)【要約】【課題】安定した電極間距離を保つことにより安定したマイナスイオンを発生することのできる空気調和機用マイナスイオン発生装置を提供すること。【解決手段】前面上部に設けられた吸込口１と、前面下部に設けられた吹出口２を結ぶ空気通路３に熱交換器４と、送風ファン５を順次配設してなる本体と、前記空気通路に二等辺三角形状の底辺を円弧状に形成した高圧電極５０と、略コ字状に形成され、その対向辺に先鋭な先端部を相対向して備える電極部４４（４４ａ、４４ｂ）とをそれぞれ設けたアース電極４０を固定するイオンホルダ３１ａと、同イオンホルダに被着され、前記高圧電極およびアース電極を覆う通風孔を備えるイオンカバー３１ｂとで構成される空気調和機用マイナスイオン発生装置において、前記イオンホルダと前記イオンカバーとに、前記アース電極の電極部および前記高圧電極を挟持する挟持面をそれぞれ設けた。【選択図】  図２
2004257636.tif 000002
【特許請求の範囲】
【請求項１】
前面上部に設けられた吸込口と、前面下部に設けられた吹出口を結ぶ空気通路に熱交換器と、送風ファンを順次配設してなる本体と、前記空気通路に二等辺三角形状の底辺を円弧状に形成した高圧電極と、略コ字状に形成され、その対向辺に先鋭な先端部を相対向して設けた電極部を備えるアース電極とをそれぞれ固定するイオンホルダと、同イオンホルダに被着され、前記高圧電極およびアース電極を覆う通風孔を備えるイオンカバーとで構成される空気調和機用マイナスイオン発生装置において、
前記高圧電極と前記電極部とを、前記イオンホルダと前記イオンカバーとの間に挟持してなることを特徴とする空気調和機用マイナスイオン発生装置。
【請求項２】
前記イオンホルダと前記イオンカバーとに、前記アース電極の電極部および前記高圧電極を挟持する挟持面がそれぞれ設けられてなることを特徴とする請求項１記載の空気調和機用マイナスイオン発生装置。
【請求項３】
前記イオンホルダと前記イオンカバーとに、前記アース電極の電極部を挟持する挟持面を設けると共に、前記イオンホルダに、前記高圧電極を挿入するスリットを設けてなることを特徴とする請求項１記載の空気調和機用マイナスイオン発生装置。
【請求項４】
前記アース電極と前記高圧電極が、前記イオンホルダと一体成形されてなることを特徴とする請求項１記載の空気調和機用マイナスイオン発生装置。
【発明の詳細な説明】
【０００１】
【発明の属する技術分野】
本発明は、壁掛型の空気調和機用マイナスイオン発生装置に係わり、詳細にはマイナスイオン発生用電極の構造に関する。
【０００２】
【従来の技術】
従来の壁掛型の空気調和機は、図１の側断面図に示すように、取付具２０を介して壁に取付けるベース１０と、これに被着される前面パネル１１とでなる本体の前面上部の吸込口１と、前面下部の吹出口２を結ぶ空気通路３にハ字状に折曲した熱交換器４と、送風ファン５を順次配設すると共に、同送風ファン５の風下側の前記ベース１０にマイナスイオン発生装置３１を配設している。
前記マイナスイオン発生装置３１は、図７の要部分解図および図８の要部側断面図に示すように、高圧電極５０およびアース電極４０を固定して前記ベース１０に固定するイオンホルダ３１ａと、同イオンホルダ３１ａに被着され、前記高圧電極５０およびアース電極４０を覆うイオンカバー３１ｂとで構成されている。
そして、前記アース電極４０と前記高圧電極５０との間に高い電圧を印加することによりマイナスイオンを発生させ、この発生したマイナスイオンが前記熱交換器４により調和された空気と共に、前記吹出口２から室内に放出されるようになっている。
前記アース電極４０は、図３（ａ）に示すように、薄い平板を略コ字状に打ち抜き、その対向辺４１（４１ａ、４１ｂ）を、連結辺４２との境界からそれぞれ直角に折曲し、同折曲された対向辺４１（４１ａ、４１ｂ）を再度前記連結辺４２と離れる方向に直角に折曲して形成されている。
そして、前記対向辺４１の一方の対向辺４１ｂに取付部４３を備えると共に、両対向辺４１（４１ａ、４１ｂ）の略中央に、それぞれ直角に折曲され、その先鋭な先端部が相対向されるようにさらに折曲して略Ｌ字状に形成した電極部４４（４４ａ、４４ｂ）を設けている。
そして、前記取付部４３から前記イオンホルダ３１ａに備える図示しないネジ孔にネジ６１を螺合して固定されている。
一方、前記高圧電極５０は、図３（ｂ）に示すように、薄い平板を打ち抜いて二等辺三角形の底辺を円弧状に膨らませた形状に形成され、その略中央に取付孔５１を備え、同取付孔５１から前記イオンホルダ３１ａに備えるネジ孔３２に取付ネジ６０を螺合して固定されている。
そして、前記高圧電極５０と前記アース電極４０とを取付けた前記イオンホルダ３１ａに、前記イオンカバー３１ｂを被せることにより、前記アース電極４０の前記対向辺４１（４１ａ、４１ｂ）がイオンホルダ３１ａとイオンカバー３１ｂとの間に挟持され、位置決めされるようになっている。
ところで、マイナスイオンを安定して発生させるには、電極の先端形状を先鋭にすると共に、電極間、とくにその先端間を安定した距離に保つ必要がある。
例えば、電極間の距離が長くなると、マイナスイオンの発生効率が落ち、また、短くすると、強い放電のため、雑音が発生するばかりか、電極を痛めるという問題がある。
しかし、前記従来の高圧電極５０およびアース電極４０は、上述したように薄い平板により先端を長く形成され、図３（ｃ）に示すように、その断面は直線状となっており、剛性が弱く、図８に示すように、長手方向に曲がり易いという問題がある。
とくに、前記アース電極のＬ字状の電極部は細長く延びて配置されるため、剛性が弱く曲がり易く、電極間の距離が不安定になるという問題がある。
また、前記高圧電極は、前記イオンホルダのネジ孔にネジを螺合して取付ける時に、その先端の位置が安定せず、電極間の距離が不安定になるという問題がある。
従来の電極構造には、平板状の電極板を各電極毎にジグザグ状の波形に折り曲げることにより、前もって補強しておき、これをスリットに挿入することにより、弾性変形を加えて外力に対する剛性を付与したものがある（例えば、特許文献１参照。）。
しかし、この構成は電極板に複数の電極を備える場合は効果があるが、電極が１つの場合には適用できない。
【０００３】
【特許文献１】
特開平８−１３７２００号公報（第３−４頁、第３図）
【０００４】
【発明が解決しようとする課題】
本発明は以上述べた問題点を解決し、安定した電極間距離を保つことにより安定したマイナスイオンを発生することのできる空気調和機用マイナスイオン発生装置を提供することを目的としている。
【０００５】
【課題を解決するための手段】
本発明は上述の課題を解決するため、前面上部に設けられた吸込口と、前面下部に設けられた吹出口を結ぶ空気通路に熱交換器と、送風ファンを順次配設してなる本体と、前記空気通路に二等辺三角形状の底辺を円弧状に形成した高圧電極と、略コ字状に形成され、その対向辺に先鋭な先端部を相対向して設けた電極部を備えるアース電極とをそれぞれ固定するイオンホルダと、同イオンホルダに被着され、前記高圧電極およびアース電極を覆う通風孔を備えるイオンカバーとで構成される空気調和機用マイナスイオン発生装置において、
前記高圧電極と前記電極部とを、前記イオンホルダと前記イオンカバーとの間に挟持してなる空気調和機用マイナスイオン発生装置としている。
【０００６】
前記イオンホルダと前記イオンカバーとに、前記アース電極の電極部および前記高圧電極を挟持する挟持面がそれぞれ設けられてなる空気調和機用マイナスイオン発生装置としている。
【０００７】
前記イオンホルダと前記イオンカバーとに、前記アース電極の電極部を挟持する挟持面を設けると共に、前記イオンホルダに、前記高圧電極を挿入するスリットを設けてなる空気調和機用マイナスイオン発生装置としている。
【０００８】
前記アース電極と前記高圧電極が、前記イオンホルダと一体成形されてなる空気調和機用マイナスイオン発生装置としている。
【０００９】
【発明の実施の形態】
以下、図面に基づいて本発明による空気調和機用マイナスイオン発生装置を詳細に説明する。
図１は本発明に係る空気調和機を示す側断面図、図２は本発明に係る空気調和機用マイナスイオン発生装置を示す要部分解図、図３は従来および本発明の空気調和機用マイナスイオン発生装置に使用するアース電極および高圧電極を示す要部分解図である。
本発明に係る空気調和機は、図１に示すように、取付具２０を介して壁に取付けるベース１０と、これに被着される前面パネル１１とでなり、前面上部に設けられた吸込口１と、前面下部に設けられた吹出口２とを結ぶ空気通路３にハ字状に折曲した熱交換器４と、送風ファン５とを順次配設してなる本体の、前記送風ファン５の風下側の前記ベース１０にマイナスイオン発生装置３１を配設している。
前記マイナスイオン発生装置３１に使用するアース電極および高圧電極は、図２に示すように、高圧電極５０およびアース電極４０を固定して前記ベース１０に固定するイオンホルダ３１ａと、同イオンホルダ３１ａに被着され、前記高圧電極５０およびアース電極４０を挟持して覆う通風孔を備えるイオンカバー３１ｂとで構成されている。
そして、前記アース電極４０と前記高圧電極５０との間に高い電圧を印加することによりマイナスイオンを発生させ、この発生したマイナスイオンが前記熱交換器４により調和された空気と共に、前記吹出口２から室内に放出されるようになっている。
【００１０】
前記アース電極４０は、図３（ａ）に示すように、薄い平板を略コ字状に打ち抜き、その対向辺４１（４１ａ、４１ｂ）を、連結辺４２との境界からそれぞれ直角に折曲し、同折曲された対向辺４１（４１ａ、４１ｂ）を再度前記連結辺４２と離れる方向に直角に折曲して形成されている。
そして、前記対向辺４１の一方の対向辺４１ｂに取付部４３を備えると共に、両対向辺４１（４１ａ、４１ｂ）の略中央に、それぞれ直角に折曲され、その先鋭な先端部が相対向されるようにさらに折曲して略Ｌ字状に形成した電極部４４（４４ａ、４４ｂ）を設けている。
そして、前記取付部４３から前記イオンホルダ３１ａに備える図示しないネジ孔にネジ６１を螺合して固定されている。
【００１１】
一方、前記高圧電極５０は、図３（ｂ）に示すように、薄い平板を打ち抜いて二等辺三角形の底辺を円弧状に膨らませた形状に形成され、その略中央に取付孔５１を備え、同取付孔５１から前記イオンホルダ３１ａに備えるネジ孔３２に取付ネジ６０を螺合して固定されている。
そして、前記高圧電極５０および前記アース電極４０を取付けた前記イオンホルダ３１ａに、前記イオンカバー３１ｂを被せることにより、前記アース電極４０の前記対向辺４１（４１ａ、４１ｂ）がイオンホルダ３１ａとイオンカバー３１ｂとの間に挟持され、位置決めされるようになっている。
【００１２】
また、図２に示すように、前記イオンホルダ３１ａおよび前記イオンカバー３１ｂに、前記アース電極４０の電極部４４（４４ａ、４４ｂ）の水平面を挟持する挟持面７１ａ、７１ｂおよび挟持面７２ａ、７２ｂを設けるている。
また、前記イオンホルダ３１ａに前記高圧電極５０を水平に固定すると共に、前記イオンカバー３１ｂに設けた挟持面７３ｂと共に挟持する挟持面７３ａを設けている。
これにより、前記アース電極４０の電極部４４（４４ａ、４４ｂ）および前記高圧電極５０の先鋭な先端部の根元部分が挟持されるので、外力に対する剛性が増し、より安定した電極間距離を保つことができる。
【００１３】
図４は本発明による空気調和機用マイナスイオン発生装置の他の実施例を示す要部側断面図、図５は同要部分解図である。
図４および図５に示すように、前記イオンホルダ３１ａおよび前記イオンカバー３１ｂに、前記アース電極４０の電極部４４（４４ａ、４４ｂ）の水平面を挟持する挟持面７１ａ、７１ｂおよび挟持面７２ａ、７２ｂを設けるている。
また、前記イオンホルダ３１ａの前記高圧電極取付部７３に、前記高圧電極５０の取付孔５１と先鋭な先端部５２以外が挿入されるスリット７３ｃを設けている。
これにより、前記アース電極４０の電極部４４（４４ａ、４４ｂ）および前記高圧電極５０の先鋭な先端部の根元部分が挟持され、外力に対する剛性を増すと共に、前記高圧電極５０が前記スリット７３ｃにより位置決めされるので、より安定した電極間距離を保つことができる。
【００１４】
図６は本発明による空気調和機用マイナスイオン発生装置の他の実施例を示す要部側断面図である。
図６に示すように、前記前記イオンホルダ３１ａに、前記アース電極４０および前記高圧電極５０を、その少なくとも先鋭な先端部と図示しない配線用の端子を残して一体成形することにより、より剛性を高め、より安定した電極間距離を保つことができるようにしている。
【００１５】
【発明の効果】
以上説明したように、本発明による空気調和機用マイナスイオン発生装置によれば、アース電極の電極部および高圧電極の先鋭な先端部の根元までを挟持するか、または一体成形することにより固定したので、確実に位置決めされ、より安定した電極間距離を保つことができる。
【図面の簡単な説明】
【図１】従来および本発明に係る空気調和機を示す側断面図である。
【図２】本発明に係る空気調和機用マイナスイオン発生装置を示す要部側断面図である。
【図３】従来および本発明の空気調和機用マイナスイオン発生装置に使用するアース電極および高圧電極を示す要部分解図である。
【図４】本発明による空気調和機用マイナスイオン発生装置の他の実施例を示す要部側断面図である。
【図５】本発明による空気調和機用マイナスイオン発生装置の他の実施例を示す要部分解図である。
【図６】本発明による空気調和機用マイナスイオン発生装置の他の実施例を示す要部分解図である。
【図７】従来の空気調和機用マイナスイオン発生装置を示す要部分解図である。
【図８】従来の空気調和機用マイナスイオン発生装置を示す要部側断面図である。
【符号の説明】
１  吸込口
２  吹出口
３  空気通路
４  熱交換器
５  送風ファン
３１  マイナスイオン発生装置
３１ａ  イオンホルダ
３１ｂ  イオンカバー
４０  アース電極
４１、４１ａ、４１ｂ  対向辺
４２  連結辺
４３  取付部
４４、４４ａ、４４ｂ  電極部
５０  高圧電極
５１  取付孔
５２  先端部
６０、６１  ネジ
７１ａ、７１ｂ、７２ａ、７２ｂ、７３ａ、７３ｂ  挟持面
７３  高圧電極取付部
７３ｃ  スリット
【図１】
2004257636.tif 000003
【図２】
2004257636.tif 000004
【図３】
2004257636.tif 000005
【図４】
2004257636.tif 000006
【図５】
2004257636.tif 000007
【図６】
2004257636.tif 000008
【図７】
2004257636.tif 000009
【図８】
2004257636.tif 000010